(57)【要約】【課題】撮影条件の設定ミスを回避することが可能なＸ線ＣＴ装置を提供する。【解決手段】実施形態のＸ線ＣＴ装置は、記憶部と、体型算出手段と、判断手段と、報知手段とを有する。記憶部は、入力部の操作により指定された被検体の体型の第１の種類を記憶する。体型算出手段は、被検体の身長および体重を含む身体情報を受けて、被検体の体型の第２の種類を求める。判断手段は、求められた体型の第２の種類が記憶された体型の第１の種類に属するかどうかを判断する。報知手段は、判断手段の判断を受けて、求められた体型の第２の種類が前記記憶された体型の第１の種類に属しているかどうかを報知する。【選択図】図１
2014108173.tif 000002
【特許請求の範囲】
【請求項１】
被検体の体型に応じた撮影条件に基づいて、Ｘ線管から被検体に対しＸ線を照射することにより、被検体のＣＴ画像を取得するＸ線ＣＴ装置において、
入力部の操作により指定された被検体の体型の第１の種類を記憶する記憶部と、
被検体の身長および体重を含む身体情報を受けて、被検体の体型の第２の種類を求める体型算出手段と、
前記求められた体型の第２の種類が前記記憶された体型の第１の種類に属するかどうかを判断する判断手段と、
前記判断手段の判断を受けて、前記求められた体型の第２の種類が前記記憶された体型の第１の種類に属しているかどうかを報知する報知手段と、
を有すること、
を特徴とするＸ線ＣＴ装置。
【請求項２】
前記記憶部は、
前記被検体の体型の種類が数値により区分けされた前記第２の種類を予め記憶し、さらに、第２の種類の一つを標準体型として記憶し、かつ、標準体型を撮影するときに用いられる管電圧及び管電流を含む第２の種類の標準撮影条件を標準体型と関連づけて記憶する第１テーブルと、
前記第２の種類の残りの種類については、その体型に応じて予め定められ、第２の種類の標準撮影条件を変更するパラメータを前記残りの種類に関連づけて記憶する第２テーブルと、
をさらに有し、
前記体型算出手段は、身体情報に基づき被検体の体型を数値として算出し、算出された数値に基づいて前記記憶部に予め記憶された第２の種類から選出し、
前記判断手段は、前記選出された体型の第２の種類が、第２の種類の標準体型または残りの種類のいずれかであるかどうかを判断し、
前記判断手段により第２の種類が残りの種類のいずれかであるかと判断されたとき、残りの種類に関連づけられたパラメータを用いて第２の種類の標準撮影条件を変更することにより、体型の第２の種類に応じた撮影条件を求める撮影条件算出手段をさらに有すること、
を特徴とする請求項１に記載のＸ線ＣＴ装置。
【請求項３】
前記記憶部は、
前記被検体の体型の第１の種類の一つを標準体型として記憶し、かつ、標準体型を撮影するときに用いられる管電圧及び管電流を含む第１の種類の標準撮影条件を関連づけて記憶する第３テーブルと、
前記第１の種類の残りの種類については、その体型に応じて予め定められ、標準撮影条件を変更するパラメータを前記残りの種類に関連づけて記憶する第４テーブルと、
をさらに有し、
前記撮影条件算出手段は、前記判断手段により前記第２の種類が前記第１の種類に属していないと判断されたとき、入力部の操作を受けて、前記指定される第１の種類に応じて、第１の種類の標準撮影条件を求め、また、予め定められたパラメータを用いて第１の種類の標準撮影条件を変更すること、
を特徴とする請求項２に記載のＸ線ＣＴ装置。
【請求項４】
前記記憶部は、
前記被検体の体型の第１の種類の一つを標準体型として記憶し、かつ、標準体型を撮影するときに用いられる管電圧及び管電流を含む第１の種類の標準撮影条件を関連づけて記憶する第３テーブルと、
前記記憶された体型の第１の種類の残りの種類については、その体型に応じて予め定められ、第１の種類の標準撮影条件を変更するパラメータを前記残りの第１の種類に関連づけて記憶する第４テーブルと、
をさらに有し、
前記記憶された第１の種類が標準体型以外の残りの種類であるとき、残りの種類に関連づけられたパラメータを用いて第１の種類の標準撮影条件を変更することにより、体型の第１の種類に応じた撮影条件を求める撮影条件算出手段をさらに有すること、
を特徴とする請求項１に記載のＸ線ＣＴ装置。
【請求項５】
前記記憶部は、
被検体の体型の種類を数値により区分けされた前記第２の種類を記憶し、さらに、第２の種類の一つを標準体型として記憶し、かつ、標準体型を撮影するときに用いられる管電圧及び管電流を含む第２の種類の標準撮影条件を関連づけて記憶する第１テーブルと、
前記第２の種類の残りの種類については、その体型に応じて予め定められ、第２の種類の標準撮影条件を変更するパラメータを前記残りの種類に関連づけて記憶する第２テーブルと、
をさらに有し、
前記撮影条件算出手段は、前記判断手段により前記第２の種類が前記第１の種類に属していないと判断されたとき、第２の種類に応じて、第２の種類の標準撮影条件を求め、また、予め定められたパラメータを用いて第２の種類の標準撮影条件を変更すること、
を特徴とする請求項４に記載のＸ線ＣＴ装置。
【請求項６】
前記記憶部は、
前記被検体の体型の第１の種類の一つを標準体型として記憶し、かつ、標準体型を撮影するときに用いられる管電圧及び管電流を含む第１の種類の標準撮影条件を関連づけて記憶する第３テーブルと、
前記記憶された体型の第１の種類の残りの種類については、その体型に応じて予め定められ、第１の種類の標準撮影条件を変更するパラメータを前記残りの第１の種類に関連づけて記憶する第４テーブルと、
をさらに有し、
前記判断手段は、求められた体型の第２の種類が、第１の種類の標準体型または残りの種類に属するかどうかを判断し、
前記判断手段により第２の種類が残りの種類のいずれかに属していると判断されたとき、残りの種類に関連づけられたパラメータを用いて第１の種類の標準撮影条件を変更することにより、体型の第１の種類に応じた撮影条件を求める撮影条件算出手段をさらに有すること、
を特徴とする請求項１に記載のＸ線ＣＴ装置。
【請求項７】
前記Ｘ線管を含む架台と、
前記記憶部及び前記判断手段を含むコンソールと、
をさらに有し、
前記報知手段は、前記架台及び前記コンソールに配置されていること、
を特徴とする請求項１に記載のＸ線ＣＴ装置。
【請求項８】
前記報知手段は、色分けにより、前記第２の種類が第１の種類に属しているかどうかを報知すること、
を特徴とする請求項７に記載のＸ線ＣＴ装置。
【発明の詳細な説明】
【技術分野】
【０００１】
本発明の実施形態は、Ｘ線ＣＴ装置に関する。
【背景技術】
【０００２】
Ｘ線ＣＴ装置は、被検体に対してＸ線を照射し、被検体を透過したＸ線を検出器が受け、検出器により検出されたＸ線量をＡ／Ｄ変換し、変換されたデータを再構成することによりＸ線ＣＴ画像を取得するものである（例えば、特許文献１）。Ｘ線ＣＴ画像は、モニタ上に表示され、画像診断用として広く一般的に使用されている。
【０００３】
Ｘ線により被検体を撮影するＣＴ検査では、被検体の頭部、胸部、腹部などの撮影部位が撮影される。ＣＴ検査に際し、Ｘ線ＣＴ装置の操作者は撮影条件を決める。ここで、撮影条件とは、管電圧、管電流、撮影レイト、曝射時間、スライス厚を含むＸ線出力に関連する条件のことをいう。これらの条件の増減は、そのまま被検体の被ばく量の増減に関連する。画質を最適にして被ばく量を極力小さくするため、撮影条件は被検体個人の単位で細かく設定される。たとえば、乳幼児、大人などの被検体の体型（痩せ、標準、肥満）に応じた、個人単位での撮影条件が設定される。
【０００４】
近年のＸ線ＣＴ装置の技術向上により、多様なＣＴ検査ができるようになってきている。ＣＴ検査が多様になっていくなかで、操作ミスによるＣＴ検査が無駄や必要以上にＸ線を照射する撮影条件になるおそれがある。操作ミスを防ぎ、さらに、容易に操作するように、ＣＴ検査ごとの撮影条件について検査プロトコルを用いて設定することが一般的になってきている。検査プロトコルは、Ｘ線ＣＴ装置に予め設定・記憶されている。
【０００５】
検査プロトコルとしては、乳幼児向け、小児向け、及び大人向けがある。さらに、被検体の体型に対応したものがある。操作者は、被検体が乳幼児、小児、及び大人のいずれであるかを確認し、さらに、被検体の体型を確認し、被検体の体型に対応する検査プロトコルを入力部から選択し、ＣＴ検査を実施している。
検査プロトコルを選択するとき、被検体のＣＴ検査の履歴があれば、それを参照して選択することで、撮影条件を設定するときの作業効率を上げることができる。なお、過去のＣＴ検査時に標準体型であった被検体が、今回のＣＴ検査時には、痩せ体型や肥満体型であったりすることが少なからずあるため、選択するとき注意が必要となる。
【先行技術文献】
【特許文献】
【０００６】
【特許文献１】特開２００１−１０４２９７号公報
【発明の概要】
【発明が解決しようとする課題】
【０００７】
しかしながら、ＣＴ検査において、操作者が被検体の体型を確認するときに間違いが生じ得る。また、入力部を用いて検査プロトコルを選択するときに間違いが生じ得る。これらの間違いは、撮影条件の設定ミスにつながるという問題点があった。
【０００８】
この実施形態は、上記の問題を解決するものであり、撮影条件の設定ミスを回避することが可能なＸ線ＣＴ装置を提供することを目的とする。
【課題を解決するための手段】
【０００９】
上記課題を解決するために、実施形態のＸ線ＣＴ装置は、記憶部と、体型算出手段と、判断手段と、報知手段とを有する。記憶部は、入力部の操作により指定された被検体の体型の第１の種類を記憶する。体型算出手段は、被検体の身長および体重を含む身体情報を受けて、被検体の体型の第２の種類を求める。判断手段は、求められた体型の第２の種類が記憶された体型の第１の種類に属するかどうかを判断する。報知手段は、判断手段の判断を受けて、求められた体型の第２の種類が前記記憶された体型の第１の種類に属しているかどうかを報知する。
【図面の簡単な説明】
【００１０】
【図１】第１実施形態に係るＸ線ＣＴ装置の構成ブロック図。
【図２】被検体の体型の第１の種類と第２の種類との関連性を示す図。
【図３】各テーブルを示すブロック図。
【図４】第１テーブルを示す図。
【図５】第２テーブルを示す図。
【図６】数値により区分けされた被検体の体型の第２の種類を示す図。
【図７】撮影条件を設定するときの一連の流れを示すフローチャート。
【図８】ＣＴ検査の一連の流れを示すフローチャート。
【図９】第２実施形態に係る第４テーブルを示す図。
【図１０】撮影条件を設定するときの一連の流れを示すフローチャート。
【図１１】第３実施形態において、撮影条件を設定するときの一連の流れを示すフローチャート。
【図１２】第４実施形態において、撮影条件を設定するときの一連の流れを示すフローチャート。
【図１３】第５実施形態において、撮影条件を設定するときの一連の流れを示すフローチャート。
【図１４】変形例において、第１の種類に対する第２の種類のずれの許容範囲を示す図。
【発明を実施するための形態】
【００１１】
［第１実施形態］
Ｘ線ＣＴ装置の第１実施形態について各図を参照して説明する。図１は、Ｘ線ＣＴ装置の構成ブロック図である。
【００１２】
図１に示すように、Ｘ線ＣＴ装置は、架台１０、寝台装置２０及びコンソール部３０を有して構成される。Ｘ線ＣＴ装置は、ネットワークを介して、病院情報システム（Ｈｏｓｐｉｔａｌ  Ｉｎｆｏｒｍａｔｉｏｎ  Ｓｙｓｔｅｍ：ＨＩＳ）及び放射線科情報システム（Ｒａｄｉｏｌｏｇｙ  Ｉｎｆｏｒｍａｔｉｏｎ  Ｓｙｓｔｅｍ：ＲＩＳ）に接続されている。
【００１３】
架台１０は操作部１８及び報知手段１００を有している。コンソール部３０は、制御部４０、駆動制御部４５、表示制御部５０、入力部６０、報知手段７０を有している。制御部４０は、記憶部４１、体型算出手段４２、判断手段４３、及び、撮影条件算出手段４４を有している。
【００１４】
撮影条件の設定ミスを回避するために、操作部１８、記憶部４１、体型算出手段４２、判断手段４３、撮影条件算出手段４４、入力部６０、報知手段７０、及び、報知手段１００が設けられている。
【００１５】
（操作部）
架台１０の操作部１８はコンソール部３０の入力部６０と同じ機能を有する。同様に、架台１０の報知手段１００はコンソール部３０の報知手段７０と同じ機能を有する。操作部１８及び報知手段１００を用いることにより、撮影部位、撮影条件の設定、Ｘ線ＣＴ画像の表示及び編集操作を行なうことができるように構成されている。
【００１６】
図２は、被検体の体型の第１の種類と第２の種類との関連性を示す図である。図２の左側に第１の種類（“痩せ”、“標準”、“肥満”）を示す。制御部４０は、操作部１８及び入力部６０のいずれかの操作を受けて、被検体の体型の第１の種類を指定する。ここでは、第１の種類として、大人の体型の種類の例を示す。なお、第１の種類としては、乳幼児の体型の種類、小児の体型の種類も設けられているが、同様であるため、その説明を省略する。
【００１７】
（記憶部）
図３は、各テーブルを示すブロック図である。図１及び図３に示すように、記憶部４１は、入力部６０等の操作により指定された第１の種類を記憶する。記憶部４１は、第１テーブル４１１及び第２テーブル４１２を有している。
【００１８】
図４は第１テーブルを示す図である。図４に示すように、第１テーブル４１１は、被検体の体型の種類が数値により区分けされた第２の種類を予め記憶する。図２の右側に第２の種類を示す。また、第１テーブル４１１は、第２の種類の一つを標準体型として記憶する。さらに、第１テーブル４１１は、標準体型を撮影するときに用いられる管電圧、管電流及び撮影レイトを含む第２の種類の標準撮影条件を絶対値で表し、標準体型のものとして記憶する。
【００１９】
第２テーブル４１２は、残りの第２の種類について、その体型に応じて予め定められ、第２の種類の標準撮影条件を変更するパラメータを標準撮影条件に対応する比率（相対値）で表し、残りの第２の種類に関連づけて記憶する。なお、パラメータを絶対値として表してもよい。
【００２０】
図５は第２テーブル４１２を示す図である。図５に撮影部位（頭部検査用、腹部検査用、四肢検査用）に応じたパラメータを示す。ここでは、体型の第２の種類“標準”と関連づけられたパラメータを“１．００”とする。
【００２１】
たとえば、腹部検査用に応じたパラメータとしては、体型の第２の種類（“痩せ”、“標準”、“肥満レベル１”、“肥満レベル２”、“肥満レベル３”、“肥満レベル４”）に関連づけて、パラメータ（“０．９０”、“１．００”、“１．０５”、“１．０８”、“１．１２”、“１．２０”）が第２テーブル４１２に記憶されている。
【００２２】
（体型算出手段）
体型算出手段４２は、被検体の身体情報（検査、年齢、性別、身長、体重）を受けて、被検体の第２の種類を求める。身体情報は、病院情報システム（ＨＩＳ）や放射線科情報システム（ＲＩＳ）から自動的に取得される。
【００２３】
体型算出手段４２は、次の式を用いて、体格指数（Ｂｏｄｙ  Ｍａｓｓ  Ｉｎｄｅｘ：ＢＭＩ）を求める。
ＢＭＩ＝ｗ／ｔ２            （１）
ここで、ｗは体重［ｋｇ］、ｔは身長［ｍ］を示す。
【００２４】
図６は、数値により区分けされた被検体の体型の第２の種類を示す図である。図６に示すように、体型算出手段４２は、身長、体重を基に、ＢＭＩ（１８．５未満、１８．５以上２５未満、２５以上３０未満、３０以上３５未満、３５以上４０未満、４０以上）を算出することで、体型の第２の種類（“痩せ”、“標準”、“肥満レベル１”、“肥満レベル２”、“肥満レベル３”、“肥満レベル４”）を求める。なお、体型の第２の種類は、図６に示すものに限定されない。また、用いられる式は、上式（１）に限定されない。
【００２５】
（判断手段）
判断手段４３は、体型算出手段４２により求められた第２の種類が、記憶部４１に記憶された第１の種類に属するかどうかを判断する。いずれの第２の種類がどの第１の種類に属するかの属否の態様は、予め定められている。なお、操作部１８等の操作を受けて、制御部４０が属否の態様を変更するように構成してもよい。
【００２６】
一例として、判断手段４３は次のように判断をする。（Ａ）求められた第２の種類が“痩せ”であって、入力部６０等の操作により指定され、記憶された第１の種類が“痩せ”のとき、「属する」の判断をする（図２に“Ａ１”で示す）。“痩せ”以外の第１の種類のとき、「属しない」の判断をする。（Ｂ）また、求められた第２の種類が“標準”であって、入力部６０等の操作により指定され、記憶された第１の種類が“標準”のとき、「属する」の判断をする（図２に“Ｂ１”で示す）。“標準”以外の第１の種類のとき、「属しない」の判断をする。（Ｃ）さらに、求められた第２の種類が“肥満レベル１”、“肥満レベル２”、“肥満レベル３”、及び、“肥満レベル４”のいずれかであって、入力部６０等の操作により指定され、記憶された第１の種類が“肥満”のとき、「属する」の判断をする（図２に“Ｃ１”で示す）。“肥満”以外の第１の種類のとき、「属しない」の判断をする。
【００２７】
また、判断手段４３は、選出された体型の第２の種類が、第２の種類の標準体型（“標準”）または残りの種類（“痩せ”、“肥満レベル１”、“肥満レベル２”、“肥満レベル３”、“肥満レベル４”）のいずれかであるかを判断する。
【００２８】
（報知手段）
報知手段７０は、判断手段４３の判断結果を受けて、体型算出手段４２により求められた第２の種類が第１の種類に属しているかどうかを報知する。
【００２９】
報知手段７０は、判断結果を表示するディスプレイである。表示制御部５０は、「第２の種類が第１の種類に属している」及び「第２の種類が第１の種類に属している」のいずれかの判断結果を報知手段７０に表示させる。なお、これらの判断結果を色分けにより識別して表示させてもよい。それにより、操作者は、被検体の体型に係る撮影条件の設定ミスをしたかどうかを確認することができるため、設定ミスを回避することができる。
【００３０】
なお、報知手段７０としては、判断結果が色分けで表示されるディスプレイと、判断結果が異なる警告音で識別されるブザーとを組み合わせたものであってもよい。
【００３１】
表示制御部５０は、判断結果を架台１０の報知手段１００にも表示させる。それにより、作業者は、架台１０及びコンソール部３０のどちらにいても、撮影条件の設定ミスをしたかどうかを確認することができる。
【００３２】
また、報知手段７０、１００には、操作部１８または入力部６０により指定された撮影条件が表示される。
【００３３】
このように、報知手段７０、１００には、判断手段４３による判断結果が表示され、さらに、操作部１８等により指定された撮影条件が表示される。これらの表示内容を確認した後に、Ｘ線撮影に移行することとなる。
【００３４】
なお、Ｘ線撮影に移行する前に、撮影条件を再設定してもよく、しなくてもよい。また、Ｘ線撮影において用いられる撮影条件を、第２の種類が第１の種類に属しているかどうかの判断手段４３の判断結果に関係づけてもよく、関係づけなくてもよい。さらに、用いられる撮影条件を、第１の種類の標準撮影条件に基づいて求めてもよく、第２の種類の標準撮影条件に基づいて求めてもよい。なお、標準体型を撮影するときに用いられる管電圧、管電流及び撮影レイトを含む第１の種類の標準撮影条件は、標準体型と関連づけて第３テーブル４１３に記憶される（図３参照）。
【００３５】
（撮影条件算出手段）
第１実施形態では、撮影条件算出手段４４は、第２の種類が第１の種類に属しているかどうかの判断手段４３の判断結果に関係なく、パラメータを用いて、第２の種類の標準撮影条件（管電圧、管電流、撮影レイト、曝射時間、スライス厚等）に基づいてＸ線撮影において用いられる撮影条件を求める。
【００３６】
なお、Ｘ線撮影において用いられる撮影条件を、第２の種類が第１の種類に属しているかどうかの判断手段４３の判断結果に関係づけたものについて、また、Ｘ線撮影において用いられる撮影条件を、第１の種類の標準撮影条件に基づいて求めるものについては、他の実施形態として後述する。
【００３７】
撮影条件算出手段４４は、判断手段４３により第２の種類が“標準”であると判断されたとき、第２の種類の標準撮影条件に、第２テーブル４１２に記憶されたパラメータ“１．００”を積算することにより、Ｘ線撮影において用いられる撮影条件を求める。なお、第２の種類が“標準”と判断されたとき、撮影条件算出手段４４は、第２の種類の標準撮影条件をこのまま変更せずに、撮影条件として求めてもよい。なお、撮影条件算出手段４４が第２の種類の標準撮影条件を求めるとは、これらのことをいう。
【００３８】
また、撮影条件算出手段４４は、判断手段４３により第２の種類が残りの種類のいずれかであると判断されたとき、残りの種類に関連づけられ、第２テーブル４１２に記憶されたパラメータを用いて第２の種類の標準撮影条件を変更することにより、Ｘ線撮影において用いられる撮影条件を求める。
【００３９】
次式を用いて、標準撮影条件をパラメータで積算することにより変更する。
Ｖ＝Ｖａ＊ｐ          （２）
ここで、ＶをＸ線撮影において用いられる撮影条件の管電圧、Ｖａを標準撮影条件の管電圧、ｐをパラメータとする。
【００４０】
なお、Ｘ線撮影において用いられる管電流を含む他の撮影条件も、管電圧と同様にパラメータを用いて求められる。
【００４１】
このように、撮影条件を相対化した第２テーブル４１２を用いて、標準撮影条件を被検体の体型に応じた撮影条件に変更することで、標準撮影条件を一つ作るだけでよく、体型毎の撮影条件を作る必要がない。
【００４２】
（動作）
次に、撮影条件を設定するときの動作について、図７を参照して説明する。図７は撮影条件を設定するときの一連の流れを示すフローチャートである。
【００４３】
図７に示すように、コンソール部３０は、ＨＩＳ等から被検体の情報の読み取りを行う（Ｓ１０１）。
【００４４】
次に、体型算出手段４２は、読み取られた被検体の身体情報（身長、体重を含む）から体型の第２の種類を求める（Ｓ１０６）。求められた第２の種類は、図６に示す第２の種類のいずれかに該当する。
【００４５】
前後して、操作部１８または入力部６０の操作により、撮影部位及び体型の第１の種類を指定する（Ｓ１０２）。図２に示す第１の種類（“痩せ”、“標準”、“肥満”）のいずれかが指定される。
【００４６】
次に、判断手段４３は、指定された第１の種類に第２の種類が属するかどうかを判断する（Ｓ１０３）。
【００４７】
第１の種類に第２の種類が属すると判断手段４３が判断したとき（Ｓ１０３：Ｙｅｓ）、表示制御部５０は、判断手段４３による判断結果「属する」を報知手段７０、１００に表示させる（Ｓ１０４）。
【００４８】
次に、撮影条件算出手段４４は、判断手段４３により第２の種類が“標準”を含むいずれかであると判断されたとき、その種類に関連づけられたパラメータ（第２テーブル４１２に記憶されたパラメータ）を用いて第２の種類の標準撮影条件（管電圧、管電流、撮影レイト等）を変更することにより、Ｘ線撮影において用いられる撮影条件を求める（Ｓ１０５）。
【００４９】
第１の種類に第２の種類が属しないと判断手段４３が判断したとき（Ｓ１０３：Ｎｏ）、表示制御部５０は、判断手段４３による判断結果「属しない」を報知手段７０、１００に表示させる（Ｓ１０７）。また、表示制御部５０は、報知手段７０、１００に、「求められる撮影条件を優先」、「再指定」のアイコンを表示させる。
【００５０】
次に、判断結果「属しない」の確認がされ、「求められる撮影条件を優先」のアイコンが操作部１８等の操作により選択されると（Ｓ１０８：ＣＡＳＥ＝１）、第２の種類の標準撮影条件に基づいて、Ｘ線撮影において用いられる撮影条件を求めるステップＳ１０５に移行する。すなわち、撮影条件算出手段４４は、第２の種類が第１の種類に属しているかどうかの判断手段４３の判断結果に関係なく、第２の種類の標準撮影条件に基づいてＸ線撮影において用いられる撮影条件を求める。
【００５１】
ステップＳ１０８において、「再指定」のアイコンが操作部１８等の操作により選択されると（ＣＡＳＥ＝２）、操作部１８等の操作により、制御部４０が撮影部位及び、体型の第１の種類を指定するステップＳ１０２に移行する。
【００５２】
以上のようにして、Ｘ線撮影において用いられる撮影条件が設定される。第１実施形態では、撮影条件を設定するときに、体型算出手段４２により求められた第２の種類の標準撮影条件を優先的に用いることが可能となる。
【００５３】
〔その他の構成〕
次に、Ｘ線ＣＴ装置のその他の構成について図１を参照して簡単に説明する。
【００５４】
架台１０は、回転部１１を被検体Ｐの周りに回転可能に支持する。回転部１１には、その回転中心軸を間にして対向配置されたＸ線源１６とＸ線検出部１７とを有している。その結果、架台１０は、Ｘ線源１６を被検体Ｐの周りに回転可能に支持する。Ｘ線源１６は、被検体Ｐの体軸方向に広がり角（コーン角）をもってＸ線を被検体Ｐに照射する。
【００５５】
架台１０には、それらの他に、回転駆動部１２、データ収集部１４、及び高電圧発生部１５が設けられている。
【００５６】
回転駆動部１２は回転中心軸を中心にして回転部１１を回転させる。
【００５７】
データ収集部１４は、Ｘ線検出部１７の各Ｘ線検出素子と同様にアレイ状に配列されたデータ収集素子を有し、Ｘ線検出部１７により検出されたＸ線ビーム（実際には検出信号）を、制御部４０により出力されたデータ収集信号に対応させて収集する。この収集されたデータがＸ線投影データとなる。
【００５８】
高電圧発生部１５は、制御部４０の制御信号を受けて、Ｘ線源１６に高電圧を供給する。Ｘ線源１６は、高電圧発生部１５からの供給された高電圧によって、被検体Ｐの体軸方向（後述するスライス方向）に広がり角を有するコーン状、又は後述するチャンネル方向に広がり角を有するファン状などのＸ線ビームを照射する。
【００５９】
Ｘ線検出部１７は、Ｘ線源１６から照射され、被検体Ｐを透過したＸ線ビームを検出する。Ｘ線検出部１７は、Ｘ線検出素子を互いに直交する２方向（スライス方向及びチャンネル方向を成す）それぞれにアレイ状に複数配列され、これにより２次元のＸ線検出部１７を成している。Ｘ線検出素子は、スライス方向に例えば３２０列並べられ、チャンネル方向に例えば１０００列並べられている。
【００６０】
次に、寝台装置２０について、図１を参照にして説明する。寝台装置２０は、寝台天板２１と、操作部１８の操作による指示を受けて、寝台天板２１を移動させる寝台駆動部２２、２３とを有している。
【００６１】
寝台天板２１には被検体Ｐが載置される。寝台天板２１は、被検体Ｐを載せ、被検体Ｐの体軸方向（水平方向）に移動可能となっている。
【００６２】
駆動制御部４５は、回転部１１の１回転当たりの寝台天板２１の移動量で寝台天板２１を移動させるための制御信号を寝台駆動部２２に送る。寝台駆動部２２は、操作部１８からの操作情報（撮影位置）に基づき、寝台天板２１を被検体Ｐの体軸方向に移動させる。
【００６３】
また、駆動制御部４５は、寝台天板２１を移動させるための制御信号を寝台駆動部２３に送る。寝台駆動部２３は、操作部１８からの操作情報に基づき、寝台天板２１を上下方向に移動させる。
【００６４】
駆動制御部４５は、高電圧発生部１５に対してＸ線ビーム発生を制御するＸ線ビーム発生制御信号を出力し、回転駆動部１２に対して架台制御信号を出力し、データ収集部１４に対してデータ収集制御信号を出力し、回転駆動部１２及び寝台駆動部２２、２３に対して診断開始の指示を与える。
【００６５】
コンソール部３０は、前処理部３１、画像再構成処理部３２及び画像記憶部３３を有している。前処理部３１は、データ収集部１４から出力されたＸ線投影データに感度補正やＸ線強度補正を施す。画像再構成処理部３２は、前処理部３１から出力されたＸ線投影データを公知の逆投影処理方法によりＸ線ＣＴ画像データを再構成する。再構成されたＸ線ＣＴ画像データは画像記憶部３３に一時的に記憶される。
【００６６】
（動作）
次に、Ｘ線ＣＴ装置を用いたＸ線撮影の動作について図８を参照して説明する。図８は、ＣＴ検査の一連の流れを示すフローチャートである。
【００６７】
Ｘ線撮影においては、まず、撮影条件を設定する（Ｓ２０１）。なお、撮影条件の設定については、図７を参照して前述したので、ここではその説明を省略する。
【００６８】
次に、表示制御部５０は、報知手段７０、１００に撮影条件を表示させる（Ｓ２０２）。それにより、操作者が撮影条件を確認した上で、Ｘ線撮影に移行することができる。
【００６９】
次に、制御部４０は、撮影開始するかどうかを判断する（Ｓ２０３）。制御部４０が撮影開始であると判断すると（Ｓ２０３：Ｙｅｓ）、Ｘ線撮影が実施される（Ｓ２０４）。
【００７０】
次に、制御部４０は、Ｘ線撮影の追加／継続をするかどうか判断する（Ｓ２０５）。Ｘ線撮影の追加／継続をしないと制御部４０が判断したとき（Ｓ２０５：Ｎｏ）、撮影情報を記録し（Ｓ２０６）、ＣＴ検査を終了する。
【００７１】
Ｘ線撮影の追加／継続をすると制御部４０が判断したとき（Ｓ２０５：Ｙｅｓ）、撮影条件の表示（Ｓ２０２）に戻る。
【００７２】
Ｘ線撮影の開始かどうかを判断するステップＳ２０３において、Ｘ線撮影の開始をしないとき（Ｓ２０３：Ｎｏ）、撮影条件の変更に移行する（Ｓ２０７）。移行した後、撮影条件の表示（Ｓ２０２）に戻る。
【００７３】
以上のように、作業者が、撮影条件を確認した後に、Ｘ線撮影を実施するようになっている。
【００７４】
［第２実施形態］
次に、Ｘ線ＣＴ装置の第２実施形態について図３、図７、図９、及び図１０を参照して説明する。なお、第２実施形態において、第１実施形態と同じ構成については同一番号を付してその説明を省略し、異なる構成について主に説明する。
【００７５】
第１実施形態では、図７に示すように、第１の種類に第２の種類が属さないとき（Ｓ１０３：Ｎｏ）、判断結果を報知し（Ｓ１０７）、次に、ステップＳ１０８で、ＣＡＳＥ＝１を選択して、第２の種類の標準撮影条件及び第２テーブル４１２を用いて、撮影条件を設定するか、ＣＡＳＥ＝２を選択して、指定された撮影条件を再指定するようにしていた。すなわち、第２の種類の標準撮影条件及び第２テーブル４１２を用いた撮影条件の設定、及び、撮影条件の再指定のいずれかを選択するものであった。
【００７６】
これに対し、第２実施形態では、それらの選択に加えて、ＣＡＳＥ＝３を選択して、第１の種類の標準撮影条件及び第４テーブル４１４を用いて、撮影条件を設定するように構成されている。
【００７７】
（記憶部）
図３に示すように、記憶部４１は、第３テーブル４１３及び第４テーブル４１４をさらに有している。第３テーブル４１３は、被検体の体型の第１の種類の一つを標準体型として記憶し、かつ、標準体型を撮影するときに用いられる第１の種類の標準撮影条件を関連づけて記憶する。この実施形態では、第１の種類の標準撮影条件は第２の種類の標準撮影条件と同じある。また、第３テーブル４１３は図４に示す第１テーブル４１１と同じである。そのため、それらの説明を省略する。また、以下の実施形態でも、それらの標準撮影条件、及びそれを記憶したテーブルは、第２の種類の標準撮影条件及び第１テーブル４１１と同じものとする。なお、それらの標準撮影条件、テーブルを第２の種類の標準撮影条件、第１テーブルと異ならせてもよいことはいうまでもない。
【００７８】
図９は第４テーブルを示す図である。図９に体型の第１の種類として“痩せ”、“標準”、“肥満”を示し、それらの種類に関連づけられたパラメータを、撮影部位（頭部検査用、腹部検査用、四肢検査用）毎に示す。ここでは、体型の第１の種類“標準”に関連づけられたパラメータを“１．００”とする。
【００７９】
第４テーブル４１４は、図９に示すように、標準体型以外の残りの第１の種類についは、その体型に応じて定められ、標準撮影条件を変更するパラメータを残りの種類に関連づけて記憶する。たとえば、腹部検査用に応じたパラメータとしては、体型の第１の種類（“痩せ”、“標準”、“肥満”）に連づけて、パラメータ（“０．９０”、“１．００”、“１．１０”）が第４テーブル４１４に記憶されている。
【００８０】
（動作）
次に、第２実施形態において、撮影条件を設定するときの動作について図１０を参照して説明する。図１０は、撮影条件を設定するときの一連の流れを示すフローチャートである。なお、動作説明においても、第１実施形態と異なる動作を主に説明し、同様な動作についてはその説明を省略する。
【００８１】
第２実施形態では、第１実施形態と同様に、図１０に示すように、ステップＳ１０８で、ＣＡＳＥ＝１またはＣＡＳＥ＝２が選択される（図７のステップＳ１０６参照）。
【００８２】
ＣＡＳＥ＝１が選択されたとき、撮影条件算出手段４４は、第２の種類の標準撮影条件及び第２テーブル４１２（図５参照）を用いて、撮影条件を求める。
【００８３】
ＣＡＳＥ＝２が選択されたとき、制御部４０は、ステップＳ１０２に戻り、指定された撮影条件の再指定を可能にする。
【００８４】
図１０に示すように、第２実施形態では、「指定された撮影条件を優先」のアイコンの表示、操作部１８等の操作により「指定された撮影条件を優先」のアイコンを指定することによる選択（ＣＡＳＥ＝３の選択）ができる点が第１実施形態と異なる。
【００８５】
ＣＡＳＥ＝３が選択されたとき、撮影条件算出手段４４は、第１の種類の標準撮影条件及び第４テーブル４１４（図９参照）を用いて、撮影条件を求める（Ｓ１０９）。なお、第１の種類（“痩せ”、“標準”、“肥満”）は、操作部１８または入力部６０の操作により指定され、記憶部４１に記憶されている。
【００８６】
撮影条件算出手段４４は、記憶された第１の種類が“標準”であるとき、第１の種類の標準撮影条件に、第４テーブル４１４に記憶されたパラメータ“１．００”を積算することにより、Ｘ線撮影において用いられる撮影条件を求める。なお、第１の種類が“標準”と判断されたとき、撮影条件算出手段４４は、第１の種類の標準撮影条件を変更することなく、撮影条件として求めてもよい。なお、撮影条件算出手段４４が第１の標準撮影条件を求めるとは、これらのことをいう。
【００８７】
また、撮影条件算出手段４４は、記憶された第１の種類が残りの種類“痩せ”、“肥満”のいずれかであるとき、残りの種類に関連づけられ、第４テーブル４１４に記憶されたパラメータを用いて第１の種類の標準撮影条件を変更することにより、Ｘ線撮影において用いられる撮影条件を求める。
【００８８】
第２実施形態では、撮影条件を設定するときに、体型算出手段４２により求められた第２の種類の標準撮影条件を優先的に用いる中で、第１の種類の標準撮影条件を用いる選択肢を残すことが可能となる。
【００８９】
［第３実施形態］
次に、Ｘ線ＣＴ装置の第３実施形態について図３及び図１１を参照して説明する。なお、第３実施形態において、第１実施形態と同じ構成については同一番号を付してその説明を省略し、異なる構成について主に説明する。
【００９０】
第１実施形態では、第１の種類に第２の種類が属するとき、第２の種類の標準撮影条件及び第２テーブル４１２を用いた撮影条件の設定をし（図７のステップＳ１０３、Ｓ１０５参照）、また、第１の種類に第２の種類が属さないとき、第２の種類の標準撮影条件及び第２テーブル４１２を用いた撮影条件の設定、及び、撮影条件の再指定のいずれかを選択するものであった（図７のステップＳ１０３、Ｓ１０７−Ｓ１０８参照）。
【００９１】
これに対して、第３実施形態では、第１の種類に第２の種類が属するとき（図１１に示すステップＳ３０３：Ｙｅｓ）、第１の種類の標準撮影条件及び第４テーブル４１４を用いた撮影条件の設定をし（図１１に示すステップＳ３０５）、また、第１の種類に第２の種類が属さないとき（図１１に示すステップＳ３０３：Ｎｏ）、第１の種類の標準撮影条件及び第４テーブル４１４を用いた撮影条件の設定または、撮影条件の再指定のいずれかを選択（図１１に示すステップＳ３０８）するように構成されている。
【００９２】
なお、第１の種類に第２の種類が属さないとき、第２の種類の標準撮影条件及び第２テーブル４１２用いた撮影条件を設定するものについては、第４実施形態で説明する。
【００９３】
（記憶部）
図３に示すように、記憶部４１は、第３テーブル４１３及び第４テーブル４１４を有している。第３テーブル４１３及び第４テーブル４１４は図４及び図９を用いて、すでに説明したので、ここではそれらの説明を省略する。
【００９４】
（動作）
次に、第３実施形態において、撮影条件を設定するときの動作について図１１を参照して説明する。図１１は撮影条件を設定するときの一連の流れを示すフローチャートである。なお、動作説明においても、第１実施形態と異なる動作を主に説明し、同様な動作についてはその説明を省略する。
【００９５】
第３実施形態の動作が第１実施形態と異なるのは、第１の種類に第２の種類が属するとき、撮影条件算出手段４４が第１の種類の標準撮影条件及び第４テーブル４１４を用いて、撮影条件を求めこと、及び、第１の種類に第２の種類が属しないとき、選択のステップで、撮影条件算出手段４４が第１の種類の標準撮影条件及び第４テーブル４１４を用いて、撮影条件を求めることである。
【００９６】
第３実施形態では、図１１に示すように、第１の種類に第２の種類が属するとき（Ｓ３０３：Ｙｅｓ）、判断結果を報知し（Ｓ３０４）、撮影条件算出手段４４は、第１の種類の標準撮影条件及び第４テーブル４１４を用いて、撮影条件を求める（Ｓ３０５）。なお、第１の種類（“痩せ”、“標準”、“肥満”）は、操作部１８または入力部６０の操作により指定され、記憶部４１に記憶されている。
【００９７】
撮影条件算出手段４４は、記憶された第１の種類が“標準”であるとき、第１の種類の標準撮影条件に、第４テーブル４１４に記憶されたパラメータ“１．００”を積算することにより、Ｘ線撮影において用いられる撮影条件を求める。なお、第１の種類が“標準”であるとき、撮影条件算出手段４４は、第１の種類の標準撮影条件を変更することなく、これを撮影条件として求めてもよい。なお、撮影条件算出手段４４が第１の種類の標準撮影条件を求めるとは、それらのことをいう。
【００９８】
また、撮影条件算出手段４４は、記憶された第１の種類が残りの種類“痩せ”、“肥満”のいずれかであるとき、残りの種類に関連づけられ、第４テーブル４１４に記憶されたパラメータを用いて第１の種類の標準撮影条件を変更することにより、Ｘ線撮影において用いられる撮影条件を求める。
【００９９】
また、第１の種類に第２の種類が属さないとき（Ｓ３０３：Ｎｏ）、判断結果を報知する（Ｓ３０７）。すなわち、「指定された第１の種類に第２の種類が属さない」との結果が報知手段７０，１００に表示される。
【０１００】
このとき、報知手段７０，１００には、「指定された撮影条件を優先」、「再指定」のアイコンが表示される。
【０１０１】
操作者は、これらの表示を確認して、操作部１８等の操作により、いずれかのアイコンを選択する。
【０１０２】
ステップＳ３０８で、ＣＡＳＥ＝１が選択されたとき、撮影条件算出手段４４は、第１の種類の標準撮影条件及び第４テーブル４１４を用いて、撮影条件を求める（Ｓ３０５）。
【０１０３】
ＣＡＳＥ＝２が選択されたとき、制御部４０は、ステップＳ３０２に戻り、指定された撮影条件の再指定を可能とする。
【０１０４】
以上のように、Ｘ線撮影で用いられる撮影条件が設定される。第３実施形態では、撮影条件を設定するときに、操作者が指定した第１の種類の標準撮影条件を優先的に用いることが可能となる。
【０１０５】
［第４実施形態］
次に、Ｘ線ＣＴ装置の第４実施形態について図３及び図１２を参照して説明する。なお、第４実施形態において、第３実施形態と同じ構成については同一番号を付してその説明を省略し、異なる構成について主に説明する。
【０１０６】
（記憶部）
図３に示すように、第３実施形態の記憶部４１が第３テーブル４１３及び第４テーブル４１４を有していたのに対し、第４実施形態の記憶部４１は、さらに、第１テーブル４１１及び第２テーブル４１２を有している。第１テーブル４１１及び第２テーブル４１２は図４及び図５を用いて、すでに説明したので、ここではそれらの説明を省略する。
【０１０７】
（動作）
次に、第４実施形態において、撮影条件を設定するときの動作について図１２を参照して説明する。図１２は、撮影条件を設定するときの一連の流れを示すフローチャートである。なお、動作説明においても、第３実施形態と異なる動作を主に説明し、同様な動作についてはその説明を省略する。
【０１０８】
第４実施形態では、第３実施形態と同様に、図１２に示すように、ステップＳ３０８で、ＣＡＳＥ＝１またはＣＡＳＥ＝２が選択される（図１１のステップＳ３０８参照）。
【０１０９】
ＣＡＳＥ＝１が選択されたとき、撮影条件算出手段４４は、第１の種類の標準撮影条件及び第４テーブル４１４を用いて、撮影条件を求める（Ｓ３０５）。
【０１１０】
ＣＡＳＥ＝２が選択されたとき、制御部４０は、ステップＳ３０２に戻り、指定された撮影条件の再指定を可能にする。
【０１１１】
図１２に示すように、第４実施形態では、「求められる撮影条件を優先」のアイコンが
表示される点、及び、操作部１８等の操作により「求められる撮影条件を優先」のアイコンを指定することによる選択（ＣＡＳＥ＝３の選択）ができる点が第３実施形態と異なる。
【０１１２】
ＣＡＳＥ＝３が選択されたとき、撮影条件算出手段４４は、判断手段４３により第２の種類が“標準”を含むいずれかであると判断されたとき、その種類に関連づけられたパラメータ（第２テーブル４１２に記憶されたパラメータ）を用いて第２の種類の標準撮影条件（管電圧、管電流、撮影レイト等）を変更することにより、Ｘ線撮影において用いられる撮影条件を求める（Ｓ３０９）。
【０１１３】
第４実施形態では、撮影条件を設定するときに、操作者が指定した第１の種類の標準撮影条件を優先的に用いる中で、第２の種類の標準撮影条件を用いる選択肢を残すことが可能となる。
【０１１４】
［第５実施形態］
次に、Ｘ線ＣＴ装置の第５実施形態について図１３を参照して説明する。なお、第５実施形態において、第３実施形態と同じ構成については同一番号を付してその説明を省略し、異なる構成について主に説明する。
【０１１５】
（記憶部）
記憶部４１は、第３テーブル４１３及び第４テーブル４１４を有している。第３テーブル及び第４テーブルは図４及び図９を用いて、すでに説明したので、ここではそれらの説明を省略する。
【０１１６】
（動作）
次に、第４実施形態において、撮影条件を設定するときの動作について図１３を参照して説明する。図１３は、撮影条件を設定するときの一連の流れを示すフローチャートである。なお、動作説明においても、第３実施形態と異なる動作を主に説明し、同様な動作についてはその説明を省略する。
【０１１７】
第３実施形態では、第１の種類に第２の種類が属さないと判断手段４３が判断したとき（図１１に示すステップＳ３０３：Ｎｏ）、ステップＳ３０８の選択ステップで、ＣＡＳＥ＝１が選択されたとき、第１の種類に基づき撮影条件を設定した（Ｓ３０５）。
【０１１８】
これに対して、図１３に示すように、第５実施形態では、第１の種類に第２の種類が属さないと判断手段４３が判断したとき（Ｓ４０３；Ｎｏ）、判断結果を報知し（Ｓ４０７）、操作部１８等の操作により、「確認」のアイコンが指定されると（Ｓ４０８：Ｙｅｓ）、第１の種類の再指定を行う（Ｓ４０２）ものである。すなわち、第３実施形態のように、第１の種類に基づき撮影条件を設定しない。
【０１１９】
また、第５実施形態では、第１の種類に第２の種類が属すると判断手段４３が判断したとき（Ｓ４０３；Ｙｅｓ）、判断結果を報知し（Ｓ４０４）、撮影条件算出手段４４が第１の種類の標準撮影条件及び第４テーブル４１４を用いて、撮影条件を求める（Ｓ４０５）。すなわち、第１の種類に第２の種類が属するときのみ、撮影条件を設定することが第３実施形態と異なる。
【０１２０】
第５実施形態では、判断手段４３は、求められた体型の第２の種類が、第１の種類の標準体型または残りの種類に属するかどうかを判断し（Ｓ４０３）、撮影条件算出手段４４は、判断手段４３により第２の種類が残りの種類のいずれかに属していると判断されたとき、残りの種類に関連づけられ、第４テーブルに記憶されたパラメータを用いて第１の種類の標準撮影条件を変更する（Ｓ４０５）。
【０１２１】
第５実施形態では、第１の種類に第２の種類が属しているときのみ、撮影条件を設定するようにしたので、撮影条件を適正に設定することが可能となる。
【０１２２】
なお、前記第５実施形態では、第１の種類に第２の種類が属するとき、第２の種類の標準撮影条件を変更することにより、撮影条件を設定するものを示したが、第１の種類の標準撮影条件を変更することにより、撮影条件を設定するようにしてもよい。このとき、記憶部４１が、第１テーブル４１１及び第２テーブル４１２を有することはいうまでもない。
【０１２３】
また、前記第１実施形態から第５実施形態では、第１の種類は“痩せ”、“標準”、“肥満”の３種、第２の種類は“痩せ”、“標準”、“肥満レベル１”、“肥満レベル２”、“肥満レベル３”、“肥満レベル４”の６種であったが、それぞれの種を増やすことにより、被検体の体型により適合する撮影条件を設定することが可能となる。
【０１２４】
しかし、これらの種類を増やしていくと、第１の種類に第２の種類が属さないと判断される頻度が多くなる。
【０１２５】
また、第１の種類が“痩せ”、“標準”、“肥満”の３種であっても、“痩せ”と“標準”との境界、“標準”と“肥満”との境界は明確ではなく、この点からも、第１の種類に第２の種類が属さないと判断される場合が少なからずある。
【０１２６】
そのため、ＣＡＳＥ＝３の選択（図７、図１０のＳ１０８、図１１、図１２のＳ２０８、図１３のＳ４０８参照）や、第１の種類を再指定（図７、図１０のＳ１０２、図１１、図１２のＳ３０２、図１３のＳ４０２参照）を行う機会が増え、その分だけ、ＣＴ検査の作業効率が低下するおそれがある。
【０１２７】
図１４は第１の種類に対する第２の種類のずれの許容範囲を示す図である。図１４に示す矢印は、たとえば、第１の種類“標準”に対する第２の種類“肥満レベル１”が対応関係を有し、ずれの許容範囲内であることを表している。
【０１２８】
図１４に示すように、第１の種類に対する第２の種類のずれの許容範囲を予め定めておき、図２に示す第１の種類と第２の種類との関連性では第１の種類に第２の種類が属しないが、ずれが許容範囲内でれば、属するとみなして、撮影条件算出手段４４が第１の種類の標準撮影条件及び第４テーブル４１４（または、第２の種類の標準撮影条件及び第２テーブル４１２）を用いて、撮影条件を求め、第１の種類を再指定しなくて済むようにしてもよい。すなわち、属否の判断を柔軟に適用するようにして、ＣＴ検査の作業効率を上げることが可能となる。
【０１２９】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、書き換え、変更を行うことができる。これら実施形態やその変形は、発明の範囲や要旨に含まれるととともに、特許請求の範囲に記載された発明とその均等の範囲に含まれる。
【符号の説明】
【０１３０】
１０  架台
１１  回転部
１２  回転駆動部
１４  データ収集部
１５  高電圧発生部
１６  Ｘ線源
１７  Ｘ線検出部
１８  操作部
２０  寝台装置
２１  寝台天板
２２  寝台駆動部
２３  寝台駆動部
３０  コンソール部
３１  前処理部
３２  画像再構成処理部
３３  画像記憶部
４０  制御部
４１  記憶部
４１１  第１テーブル
４１２  第２テーブル
４１３  第３テーブル
４１４  第４テーブル
４２  体型算出手段
４３  判断手段
４４  撮影条件算出手段
４５  駆動制御部
５０  表示制御部
６０  入力部
７０  報知手段
１００  報知手段
【図１】
2014108173.tif 000003
【図２】
2014108173.tif 000004
【図３】
2014108173.tif 000005
【図４】
2014108173.tif 000006
【図５】
2014108173.tif 000007
【図６】
2014108173.tif 000008
【図７】
2014108173.tif 000009
【図８】
2014108173.tif 000010
【図９】
2014108173.tif 000011
【図１０】
2014108173.tif 000012
【図１１】
2014108173.tif 000013
【図１２】
2014108173.tif 000014
【図１３】
2014108173.tif 000015
【図１４】
2014108173.tif 000016